(57)【要約】【課題】発光体からの光を外部へ確実に照射することで、情報を得たい人が発光体からの光で形成される標示を確実に認識することができる情報標示体を提供する。【解決手段】内部に収納部６を有する情報標示本体２と、前記収納部６に収納される発光体７と、該発光体７に電力を供給する太陽電池５とを備え、前記発光体７は、太陽電池５からの電力によって発光する発光部７１と、該発光部７１を覆う透光性を有する容器部７２とを備え、該容器部７２は、着色されていることを特徴とする。  【選択図】図２
2009293209.tif 000002
【特許請求の範囲】
【請求項１】
内部に収納部を有する情報標示本体と、前記収納部に収納される発光体と、該発光体に電力を供給する太陽電池とを備え、前記発光体は、太陽電池からの電力によって発光する発光部と、該発光部を覆う透光性を有する容器部とを備え、該容器部は、着色されていることを特徴とする情報標示体。
【請求項２】
前記容器部は、前記発光部の発光色と同じ色に着色されていることを特徴とする請求項１に記載の情報標示体。
【発明の詳細な説明】
【技術分野】
【０００１】
本発明は、例えば視線誘導等の道路標示を発光体からの光によって標示する情報標示体に関する。
【背景技術】
【０００２】
従来、この種情報標示体としては、内部に収納部を有する情報標示本体と、前記収納部に収納される発光体と、該発光体に電力を供給する太陽電池とを備え、前記発光体は、太陽電池からの電力によって発光する発光部と、該発光部を覆う透光性を有する容器部とを備えたものが知られている。
【０００３】
かかる情報標示体は、太陽電池にて生成される電力を利用して発光体を光らせることにより標示すべき文字や図柄等を形成するものであり、情報を得たい人は、かかる発光体からの光を認識することで標示を認識する。
【発明の開示】
【発明が解決しようとする課題】
【０００４】
しかしながら、上記従来の情報標示体にあっては、発光部を覆う容器部が無色透明であるので、太陽光等の外部光が収納部内へ透過した透過光が発光体で強く反射し、また、前記透過光が収納部内で乱反射することがある。そうすると、太陽電池からの比較的弱い電力を利用して発せられる発光体からの光は、発光体で反射したり収納部内で乱反射したりする光によって掻き消されて見えなくなってしまい、その結果、情報を得たい人が発光体からの光によって形成される標示を認識することができなくなってしまう。
【０００５】
そこで、本発明は、上記実情に鑑みてなされ、発光体からの光を外部へ確実に照射することで、情報を得たい人が発光体からの光で形成される標示を確実に認識することができる情報標示体を提供することを課題とする。
【課題を解決するための手段】
【０００６】
本発明は、上記課題を解決すべくなされたものであり、本発明に係る情報標示体は、内部に収納部を有する情報標示本体と、前記収納部に収納される発光体と、該発光体に電力を供給する太陽電池とを備え、前記発光体は、太陽電池からの電力によって発光する発光部と、該発光部を覆う透光性を有する容器部とを備え、該容器部は、着色されていることを特徴とする。
【０００７】
該構成の情報標示体にあっては、透光性を有する容器部が着色されているので、太陽光等の外部光が収納部内へ透過した透過光の発光体での反射を抑制することができ、また、当該透過光の収納部内での乱反射を抑制することができる。従って、太陽電池からの電力を利用して発せられる発光体からの光は、前記反射や乱反射する光によって掻き消されることなく外部へ確実に照射される。
【０００８】
特に、前記容器部は、前記発光部の発光色と同じ色に着色されていることが好ましい。かかる構成であると、発光体から発せられる光の色は、変色等することなく鮮明な色となるので、標示内容を鮮明に形成することができ、情報を得たい人による標示の認識性が向上するという利点がある。
【発明の効果】
【０００９】
このように、本発明に係る情報標示体にあっては、透光性を有する容器部が着色されているので、外部光が収納部内へ透過した透過光の発光体での反射や収納部内での乱反射を抑制することができる結果、太陽電池からの電力を利用して発せられる発光体からの光が掻き消されることなく外部へ確実に照射され、従って、情報を得たい人が発光体からの光によって形成される標示を確実に認識することができるという効果を奏する。
【発明を実施するための最良の形態】
【００１０】
以下、本発明に係る情報標示体の一実施形態について、図面を参照しつつ詳細に説明する。
図１（Ａ）及び（Ｂ）に、本実施形態における情報標示体１が示されている。該情報標示体１は、例えば情報を得ようとする通行人等に対し道路交通情報や注意喚起等の様々な標示をすべく、道路に立設された支柱Ｐに取り付けられるものである。
【００１１】
この情報標示体１は、内部に収納部６を有する情報標示本体２と、該情報標示本体２の収納部６に収納可能に構成され発光体７を備える発光ユニット３と、発光体７の点灯を制御する制御部４と、発光体７に電力を供給する太陽電池５とを備える。
【００１２】
情報標示本体２は、収納部６に収納した発光体７から発せられる光を外部へ照射するための窓部２３１と、該窓部２３１を閉塞する透光性を有する窓板２４とを備える。具体的には、情報標示本体２は、前面が開口し後面が閉塞した本体部２１と、該本体部２１の開口を開閉する蓋部２２とを備える。本体部２１は、例えばアルミニウム合金で構成されており、後面側が支柱Ｐに取付可能に構成されている。
【００１３】
蓋部２２は、前面２２ａが閉塞し後面２２ｂが開口しており、具体的には、内側領域が前記窓部２３１となる枠体２３と、該枠体２３の前面側を閉塞する窓板２４とを備えてなる。前記枠体２３は、例えばアルミニウム合金にて矩形状に構成され、かかる枠体２３によって囲まれる領域が、前記窓部２３１となるように構成されている。窓板２４は、透光性を有する無色の板であり、具体的には、無色透明の合成樹脂板であり、本実施形態では、無色透明のポリカーボネイト板である。また、窓板２４は、前記窓部２３１全体を閉塞するように構成されている、即ち、窓板２４は、枠体２３の内側形状に対応した形状となっている。
【００１４】
蓋部２２は、枠体２３が本体部２１にヒンジを介して回動可能に取り付けられており、該ヒンジを中心に回動することによって本体部２１の前面開口を開閉する。尚、本体部２１と蓋部２２とで囲まれる領域（即ち、情報標示本体２の内部）が収納部６となっている。また、蓋部２２の縦及び横の長さは、本体部２１の縦及び横の長さよりも若干大きくなっている。
【００１５】
発光ユニット３は、図２に示すように、一方の面３１ａに発光体７が複数実装され他方の面３１ｂにコネクタ８を構成する凹部材８１が実装された発光基板３１と、一方の面３２ａに前記発光体７の点灯を制御するための電子部品（図示しない）が実装され他方の面３２ｂに前記凹部材８１との間で電気通信的且つ機械的接続をなすための凸部材８２が実装された制御基板３２とを備える。発光ユニット３は、発光基板３１と制御基板３２とが各々の他方の面同士３１ｂ，３２ｂを対向させ、コネクタ８である凹部材８１と凸部材８２とを接続して電気的且つ機械的に接続されるように構成されている。尚、発光基板３１に凸部材８２を実装し、制御基板３２に凹部材８１を実装してもよい。
【００１６】
かかる発光ユニット３は、情報標示本体２の収納部６に収納可能に構成されており、本実施形態では、蓋部２２の枠体２３の内側に取り付けられるように構成されている。詳細には、発光ユニット３は、前記窓板２４と発光体７との間に所定の隙間が形成されるように枠体２３の内側に取り付けられ、蓋部２２の回動に伴って回動する。発光ユニット３は、枠体２３で囲まれる領域に対応した大きさとなっており、前記領域全体に亘るように枠体２３の内側に取り付けられる。
【００１７】
発光体７は、ＬＥＤ７であり、電力を受けて発光する発光部７１と、該発光部７１を覆う容器部７２と、発光部７１に連設され容器部７２から突設される端子部７３（リードフレーム）とを備える。発光部７１は、発光ダイオードチップを備える発光素子であり、電流が流れることにより所定の色の光を発する。
【００１８】
容器部７２は、透光性を有し且つ着色されている。即ち、容器部７２は、有色透明であり、本実施形態では、発光部７１から発せられる光の色と同じ色に着色された透明容器である。また、容器部７２は、例えばエポキシ樹脂等の合成樹脂からなり、先端部が半球状の砲弾型に構成されている。尚、以下の表１に、赤・緑・青のそれぞれに着色した容器部７２の透過率を例示する。尚、表１においては、容器部が無色透明である場合の透過率は１００％としている。
【表１】
2009293209.tif 000003
【００１９】
かかるＬＥＤ７は、その照射方向が発光基板３１の一方の面３１ａに対して垂直且つ外向きとなるように、当該一方の面３１ａにはんだ実装されている。ここで、本実施形態における情報標示体１は、多色発光の情報標示体１であるため、ＬＥＤ７は、複数個用意されており、且つ、複数の発光色のものが用意されている。尚、ＬＥＤ７の個数、発光色、及び配置は、必要に応じて適宜決定することができる。
【００２０】
尚、ＬＥＤ７、凹部材８１、凸部材８２、及び電子部品の実装に際してのはんだ作業は、手はんだにて行うこともできるが、はんだ付け用の機械によって自動で行う方が高効率で好ましい。また、ＬＥＤ７及び凹部材８１が実装された発光基板３１と、電子部品及び凸部材８２が実装された制御基板３２とは、各々全体が所謂防湿コーティング処理される。
【００２１】
制御部４は、ＬＥＤ７の点灯を制御するものであり、点灯を制御するためのプログラムの設定や選択等を行うコントローラ４１と、前記太陽電池５にて生成された電力を蓄えるための蓄電池４２とを備える。この制御部４は、情報標示本体２の後面側に対向するように前記支柱Ｐに取り付けられており、発光ユニット３に電気通信的に接続されている。具体的には、制御部４は、前記制御基板３２の一方の面３２ａ側に実装されている電子部品に電気通信的に接続され、これによりＬＥＤ７に電力や信号等を供給することができる。尚、蓄電池４２としては、例えば鉛蓄電池を用いることができる。
【００２２】
太陽電池５は、太陽光を利用して電力を生成するもので、前記制御部４の蓄電池４２を介してＬＥＤ７に電力を供給するように構成されている。
【００２３】
以上の構成の情報標示体１にあっては、容器部７２が有色透明であるので、太陽光等の外部光が収納部６内へ透過した透過光のＬＥＤ７での反射を抑制することができ、また、当該透過光の収納部６内での乱反射を抑制することができる。
【００２４】
図２を参酌してより詳細に説明すると、太陽光等の外部光Ｌ１は、窓板２４で照射する（反射光Ｌ２）と共に、窓板２４を透過して収納部６内へ射し込む（透過光Ｌ３）。
【００２５】
ここで、ＬＥＤ７の容器部７２は着色されているので、前記透過光Ｌ３の容器部７２での反射は抑制され、その反射光Ｌ４は弱いものとなる。また、当該透過光Ｌ３が窓板２４と容器部７２との間の隙間で乱反射した乱反射光Ｌ５も弱くなる。
【００２６】
このように、容器部７２での反射光Ｌ４と窓板２４及び容器部７２の間の隙間の乱反射光Ｌ５とが弱いものとなるため、太陽電池５からの比較的弱い電力を利用して発せられるＬＥＤ７からの光ＬＬは、当該反射光Ｌ４や乱反射光Ｌ５によって掻き消されることなく外部へ確実に照射される。故に、通行人等の情報を得たい人は、ＬＥＤ７からの光ＬＬによって形成される標示を確実に認識することができる。
【００２７】
また、容器部７２は、発光部７１の発光色と同じ色に着色されているので、ＬＥＤ７から発せられる光の色は、より一層鮮明な色となる。従って、ＬＥＤ７が発する光ＬＬによって形成される標示内容を、より一層鮮明なものにすることができ、情報を得たい人による標示の認識性が向上する。
【００２８】
尚、本実施形態においては、容器部７２の形状が砲弾型である場合について説明したが、これに限らず、例えば先端部が平坦面となっている円筒状又は円柱状、或いは多角柱状など様々な形状とすることができる。
【００２９】
また、本実施形態においては、情報標示本体２が本体部２１に蓋部２２を回動可能に取り付けることによって構成される場合について説明したが、これに限らず、蓋部２２を、本体部２１の前面開口を閉塞するように本体部２１に取付固定する場合であってもよい。
【図面の簡単な説明】
【００３０】
【図１】本発明に係る情報標示体の一実施形態を示す図であり、（Ａ）は正面図であり、（Ｂ）は側面図。
【図２】同情報標示体の要部を示す拡大断面図。
【符号の説明】
【００３１】
１…情報標示体、２…情報標示本体、３…発光ユニット、４…制御部、５…太陽電池、６…収納部、７…発光体（ＬＥＤ）、８…コネクタ、２１…本体部、２２…蓋部、２２ａ…蓋部の前面、２２ｂ…蓋部の後面、２３…枠体、２４…窓板、３１…発光基板、３１ａ…発光基板の一方の面、３１ｂ…発光基板の他方の面、３２…制御基板、３２ａ…制御基板の一方の面、３２ｂ…制御基板の他方の面、４１…コントローラ、４２…蓄電池、７１…発光部、７２…容器部、７３…端子部、８１…凹部材、８２…凸部材、２３１…窓部、Ｌ１…外部光、Ｌ２，Ｌ４…反射光、Ｌ３…透過光、Ｌ５…乱反射光、ＬＬ…発光体（ＬＥＤ）から発せられる光、Ｐ…支柱
【図１】
2009293209.tif 000004
【図２】
2009293209.tif 000005